【手続補正書】
【提出日】平成26年8月19日(2014.8.19)
【手続補正１】
【補正対象書類名】明細書
【補正対象項目名】発明の名称
【補正方法】変更
【補正の内容】
【発明の名称】画像形成装置、画像形成システム、及び制御装置
【手続補正２】
【補正対象書類名】明細書
【補正対象項目名】０００１
【補正方法】変更
【補正の内容】
【０００１】
本発明は、画像形成装置、この画像形成装置から排出されるシートに後処理を行う後処理装置と画像形成装置とを備えた画像形成システム、及び制御装置に関する。
【手続補正３】
【補正対象書類名】明細書
【補正対象項目名】０００６
【補正方法】変更
【補正の内容】
【０００６】
そこで、本発明は、使用しない後処理装置への電力供給を停止できる画像形成装置、画像形成システム、及び制御装置を提供することを目的とする。
【手続補正４】
【補正対象書類名】明細書
【補正対象項目名】０００７
【補正方法】変更
【補正の内容】
【０００７】
上記目的を達成するために、本発明の画像形成システムは、画像をシートに形成する画像形成装置と、前記画像形成装置に接続されると共に前記画像形成装置から排出されたシートに後処理を施す複数の後処理装置とを有する画像形成システムであって、前記複数の後処理装置のうちシートが最終的に排出される最終後処理装置を示す最終排出先情報を取得する取得手段と、前記取得手段によって取得された最終排出先情報に基づいて、シートが搬送される搬送路において前記最終後処理装置の下流に接続された後処理装置を前記複数の後処理装置のうちから決定する決定手段と、前記決定手段により決定された後処理装置に信号を送信する送信手段と、前記複数の後処理装置の各々に設けられ、前記送信手段によって送信された信号に従って前記決定された後処理装置への電力供給を停止する停止手段とを有することを特徴とする。
【手続補正５】
【補正対象書類名】明細書
【補正対象項目名】０００８
【補正方法】変更
【補正の内容】
【０００８】
上記目的を達成するために、本発明の他の画像形成システムは、画像をシートに形成する画像形成装置と、前記画像形成装置に接続されると共に前記画像形成装置から排出されたシートに後処理を施す複数の後処理装置とを有する画像形成システムであって、前記複数の後処理装置のうちシートが最終的に排出される最終後処理装置を決定する決定手段と、シートが搬送される搬送路において前記決定手段により決定された前記最終後処理装置の下流に接続された後処理装置への電力供給を停止する停止手段とを有することを特徴とする。
【手続補正６】
【補正対象書類名】明細書
【補正対象項目名】０００９
【補正方法】変更
【補正の内容】
【０００９】
上記目的を達成するために、本発明の画像形成装置は、画像をシートに形成する画像形成装置であって、前記画像形成装置から排出された前記シートに後処理を施すために前記画像形成装置に接続された複数の後処理装置の内、前記シートが最終的に排出される最終後処理装置を示す最終排出先情報を取得する取得手段と、前記取得手段によって取得された前記最終排出先情報に基づいて、シートが搬送される搬送路において前記最終後処理装置の下流に接続された後処理装置を前記複数の後処理装置の内から決定する決定手段と、前記決定手段により決定された後処理装置への電力供給を遮断するための信号を送信する送信手段とを有することを特徴とする。
【手続補正７】
【補正対象書類名】明細書
【補正対象項目名】００１０
【補正方法】変更
【補正の内容】
【００１０】
上記目的を達成するために、本発明の他の画像形成装置は、画像をシートに形成する画像形成装置であって、前記画像形成装置から排出された前記シートに後処理を施すために前記画像形成装置に接続された複数の後処理装置の内、前記シートが最終的に排出される最終後処理装置を決定する決定手段と、前記シートが搬送される搬送路において、前記決定手段により決定された前記最終後処理装置の下流に接続された後処理装置への電力供給を遮断するための信号を送信する送信手段とを有することを特徴とする。
【手続補正８】
【補正対象書類名】明細書
【補正対象項目名】００１１
【補正方法】変更
【補正の内容】
【００１１】
上記目的を達成するために、本発明の制御装置は、画像をシートに形成する画像処理装置と、前記画像形成装置から排出されたシートに後処理を施すために前記画像形成装置に接続された複数の後処理装置とを有する画像形成システムを制御する制御装置であって、前記複数の後処理装置のうちシートが最終的に排出される最終後処理装置を示す最終排出先情報を取得する取得手段と、前記取得手段によって取得された最終排出先情報に基づいて、シートが搬送される搬送路において前記最終後処理装置の下流に接続された後処理装置を決定する決定手段と、前記決定手段により決定された後処理装置への電力供給を遮断するための信号を送信する送信手段とを有することを特徴とする。
【手続補正９】
【補正対象書類名】明細書
【補正対象項目名】００１２
【補正方法】変更
【補正の内容】
【００１２】
上記目的を達成するために、本発明の他の制御装置は、画像をシートに形成する画像形成装置と、前記画像形成装置から排出されたシートに後処理を施すために前記画像形成装置に接続された複数の後処理装置とを有する画像形成システムを制御する制御装置であって、前記複数の後処理装置のうちシートが最終的に排出される最終後処理装置を決定する決定手段と、前記決定手段により決定された前記最終後処理装置に、シートが搬送される搬送路において前記最終後処理装置よりも下流の後処理装置への電力供給を遮断するための信号を送信する送信手段とを有することを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明によれば、使用しない後処理装置への電力供給を停止できる。
【手続補正１５】
【補正対象書類名】特許請求の範囲
【補正対象項目名】全文
【補正方法】変更
【補正の内容】
【特許請求の範囲】
【請求項１】
画像をシートに形成する画像形成装置と、前記画像形成装置に接続されると共に前記画像形成装置から排出されたシートに後処理を施す複数の後処理装置とを有する画像形成システムであって、
前記複数の後処理装置のうちシートが最終的に排出される最終後処理装置を示す最終排出先情報を取得する取得手段と、
前記取得手段によって取得された最終排出先情報に基づいて、シートが搬送される搬送路において前記最終後処理装置の下流に接続された後処理装置を前記複数の後処理装置のうちから決定する決定手段と、
前記決定手段により決定された後処理装置に信号を送信する送信手段と、
前記複数の後処理装置の各々に設けられ、前記送信手段によって送信された信号に従って前記決定された後処理装置への電力供給を停止する停止手段とを有することを特徴とする画像形成システム。
【請求項２】
前記複数の後処理装置は、第１の後処理装置と、前記第１の後処理装置から排出されたシートを受け取る第２の後処理装置と、前記第２の後処理装置から排出されたシートを受け取る第３の後処理装置とを有し、
前記第１の後処理装置が前記最終後処理装置であるときは、前記決定手段は、前記第２の後処理装置と前記第３の後処理装置を決定することを特徴とする請求項１に記載の画像形成システム。
【請求項３】
前記停止手段は、前記複数の後処理装置に供給される電力を制御するために前記複数の後処理装置の各々に設けられたリレーを有し、
前記停止手段は、前記決定された後処理装置への電力供給を停止するように前記リレーを制御することを特徴とする請求項１又は２に記載の画像形成システム。
【請求項４】
画像をシートに形成する画像形成装置と、前記画像形成装置に接続されると共に前記画像形成装置から排出されたシートに後処理を施す複数の後処理装置とを有する画像形成システムであって、
前記複数の後処理装置のうちシートが最終的に排出される最終後処理装置を決定する決定手段と、
シートが搬送される搬送路において前記決定手段により決定された前記最終後処理装置の下流に接続された後処理装置への電力供給を停止する停止手段とを有することを特徴とする画像形成システム。
【請求項５】
前記停止手段は、前記複数の後処理装置に供給される電力を制御するために前記複数の青と処理装置の各々に設けられたリレーを有し、
前記停止手段は、前記決定手段により決定された前記最終後処理装置の下流に接続された後処理装置への電力供給を停止するように前記リレーを制御することを特徴とする請求項４に記載の画像形成システム。
【請求項６】
前記複数の後処理装置に接続された電源線を介して前記複数の後処理装置に電力を供給する電力供給手段をさらに有することを特徴とする請求項１又は４に記載の画像形成システム。
【請求項７】
前記電力供給手段は、前記複数の後処理装置に一度に電力を供給することを特徴とする請求項６に記載の画像形成システム。
【請求項８】
画像をシートに形成する画像形成装置であって、
前記画像形成装置から排出された前記シートに後処理を施すために前記画像形成装置に接続された複数の後処理装置の内、前記シートが最終的に排出される最終後処理装置を示す最終排出先情報を取得する取得手段と、
前記取得手段によって取得された前記最終排出先情報に基づいて、シートが搬送される搬送路において前記最終後処理装置の下流に接続された後処理装置を前記複数の後処理装置の内から決定する決定手段と、
前記決定手段により決定された後処理装置への電力供給を遮断するための信号を送信する送信手段とを有することを特徴とする画像形成装置。
【請求項９】
前記複数の後処理装置は、第１の後処理装置と、前記第１の後処理装置から排出されたシートを受け取る第２の後処理装置と、前記第２の後処理装置から排出されたシートを受け取る第３の後処理装置とを有し、
前記第１の後処理装置が前記最終後処理装置であるときは、前記決定手段は前記第２の後処理装置と前記第３の後処理装置を決定することを特徴とする請求項８に記載の画像形成装置。
【請求項１０】
画像をシートに形成する画像形成装置であって、
前記画像形成装置から排出された前記シートに後処理を施すために前記画像形成装置に接続された複数の後処理装置の内、前記シートが最終的に排出される最終後処理装置を決定する決定手段と、
前記シートが搬送される搬送路において、前記決定手段により決定された前記最終後処理装置の下流に接続された後処理装置への電力供給を遮断するための信号を送信する送信手段とを有することを特徴とする画像形成装置。
【請求項１１】
前記複数の後処理装置に接続された電源線を介して前記複数の後処理装置に電力を供給する電力供給手段をさらに有することを特徴とする請求項８乃至１０のいずれか一項に記載の画像形成装置。
【請求項１２】
前記電力供給手段は、前記複数の後処理装置に一度に電力を供給することを特徴とする請求項１１に記載の画像形成装置。
【請求項１３】
画像をシートに形成する画像処理装置と、前記画像形成装置から排出されたシートに後処理を施すために前記画像形成装置に接続された複数の後処理装置とを有する画像形成システムを制御する制御装置であって、
前記複数の後処理装置のうちシートが最終的に排出される最終後処理装置を示す最終排出先情報を取得する取得手段と、
前記取得手段によって取得された最終排出先情報に基づいて、シートが搬送される搬送路において前記最終後処理装置の下流に接続された後処理装置を決定する決定手段と、
前記決定手段により決定された後処理装置への電力供給を遮断するための信号を送信する送信手段とを有することを特徴とする制御装置。
【請求項１４】
画像をシートに形成する画像形成装置と、前記画像形成装置から排出されたシートに後処理を施すために前記画像形成装置に接続された複数の後処理装置とを有する画像形成システムを制御する制御装置であって、
前記複数の後処理装置のうちシートが最終的に排出される最終後処理装置を決定する決定手段と、
前記決定手段により決定された前記最終後処理装置に、シートが搬送される搬送路において前記最終後処理装置よりも下流の後処理装置への電力供給を遮断するための信号を送信する送信手段とを有することを特徴とする制御装置。
【請求項１５】
前記複数の後処理装置に接続された電源線を介して前記複数の後処理装置に電力を供給する電力供給手段をさらに有することを特徴とする請求項１３又は１４に記載の制御装置。
【請求項１６】
前記電力供給手段は、前記複数の後処理装置に一度に電力を供給することを特徴とする請求項１５に記載の制御装置。